(57)【特許請求の範囲】
【請求項１】
縦長箱状をなす外装体の周側板のうち直交する２面を着脱可能な前パネルと横パネルとなし、外装体の底板には、上記前パネルと対峙する側にリザーブタンクを着脱可能に載置固定し、上記前パネルから離れた側には縦置きの缶体を載置固定する支持台を取付けた構造のボイラーにおけるボイラー用循環ポンプの取付構造であって、上記支持台は上記リザーブタンクに向いた側を開口部となすとともに、上記横パネルと対向していて、この横パネルを取り外すと外部に露出する面には大きな窓穴を形成し、その支持台の下部空間に１台の循環ポンプを装着するとともに、該循環ポンプとは異なる種類の循環ポンプを取付可能としたことを特徴とするボイラー用循環ポンプの取付構造。
【請求項２】
上記異なる種類の循環ポンプはマグネットポンプとキャンドポンプであり、キャンドポンプはポンプハウジングの後端面にあるロック解除用プラグをリザーブタンクに向け、ポンプハウジングの側面にある流量調節用摘みを横パネルに向けて装着される請求項１記載のボイラー用循環ポンプの取付構造。
【発明の詳細な説明】
【０００１】
【発明の属する技術分野】
本発明は、ボイラー用循環ポンプの取付構造に関する。
【０００２】
【従来の技術】
大熱出力の石油ボイラーであっても、設置面積を減少させることができるようにするためには、全体を縦長にまとめた構成にすることであるが、このような構造が特開平６−２４９５１９号公報に開示されている。簡単に説明すると、縦長箱状をなす外装体の底板の一側部に支持台を取付け、その支持台上に縦置きの缶体を載置固定し、該支持台下部の内側空間に循環ポンプを配設し、該外装体内の底板の他側部に、補給用の循環液を貯溜するリザーブタンクを着脱可能に載置固定し、その上方にバーナ，送風機を配設するようにしている。缶体で熱交換された循環液を外部放熱器に循環させる上記循環ポンプには、運転中の騒音が比較的大きいマグネットポンプが使用されている。
【０００３】
【発明が解決しようとする課題】
ボイラー設置後に、顧客からポンプ運転中の騒音を低減させたいという要請があった場合、手っ取り早い解消策としては、低騒音のポンプ例えばキャンドポンプに取換えることであるといえる。ところが、これ迄のものはポンプの取換えを考慮に入れた構造とはなっていなかったから、実際に行うとなると、多くの手間と時間を要することになり、顧客に迷惑をかける結果となった。本発明はかかる問題点を解消しようというものである。
【０００４】
【課題を解決するための手段】
請求項１の発明は、縦長箱状をなす外装体の周側板のうち直交する２面を着脱可能な前パネルと横パネルとなし、外装体の底板には、上記前パネルと対峙する側にリザーブタンクを着脱可能に載置固定し、上記前パネルから離れた側には縦置きの缶体を載置固定する支持台を取付けた構造のボイラーにおけるボイラー用循環ポンプの取付構造であって、上記支持台は上記リザーブタンクに向いた側を開口部となすとともに、上記横パネルと対向していて、この横パネルを取り外すと外部に露出する面には大きな窓穴を形成し、その支持台の下部空間に１台の循環ポンプを装着するとともに、該循環ポンプとは異なる種類の循環ポンプを取付可能として、現在装着されている循環ポンプを取外し、これとは異なる種類の循環ポンプに交換する必要性が生じたときには、その循環ポンプの設置場所まで手を延ばして、交換作業を迅速且つ容易に行えるのである。
【０００５】
また、請求項２の発明は、上記異種の循環ポンプはマグネットポンプとキャンドポンプであり、キャンドポンプ装着の向きはキャンドポンプハウジングの後端面にあるロック解除用プラグをリザーブタンクに向け、キャンドポンプハウジングの側面にある流量調節用摘みを横パネルに向けたことで、キャンドポンプの調整操作を支障なく行うことができる。
【０００６】
【発明の実施の形態】
以下に本発明の一実施例を図面に基づいて説明する。
【０００７】
図１において、石油ボイラーの外装体１は、図３の斜視図から明らかなように、底板２、天板３および周側板４によって縦長箱体状に形成され、天板３の外部には排気トップ５とプレッシャーキャップカバー６を取り付けている。底板２の一側部（図で左側）に設置された支持台８上には縦置きの缶体７が載置固定され、支持台８の下部空間には循環ポンプ９が配設されている。循環ポンプ９には、缶体７で熱交換された加温液が通る吸込管１０および循環ポンプ９で昇圧した液が通る吐出管１１がそれぞれ連結されている。一方、底板２の他側部（図で右側）には、補給用循環液を貯溜しているリザーブタンク１２が載置され、前記缶体７を加熱するバーナ１３、このバーナ１３に燃焼空気を供給する送風機１４や液体燃料を供給する燃料ポンプ１５、およびバーナ１３や循環ポンプ９等を制御するコントローラ（図示せず）を内蔵したコントロールケース１６等が配設されている。ところで、上記した周側板４の直交２面は着脱可能な前パネル４Ａと横パネル４Ｂとしており（図３参照）、また、支持台８は、上記リザーブタンク１２に向く（前パネル４Ａと対向する）側を開口部８Ａとなし、上記横パネル４Ｂと対向する面に大きな窓穴８Ｂを形成している。この窓孔８Ｂは、横パネル４Ｂを取外すことにより、図１、図２に示すように、外部に露出させることができる。
【０００８】
図２において、図１と相違する点は、循環ポンプ９′の種類が図１の循環ポンプ９と異なっている点である。具体的にいうと、図１の循環ポンプ９がマグネットポンプであれば、図２の循環ポンプ９′は低騒音ポンプとして定評のあるキャンドポンプとする。一般にキャンドポンプはポンプハウジングの後端面にロック解除用プラグ１７が設けられ、ポンプハウジングの側面に流量調節用摘み１８が設けられている。異種類の循環ポンプ９，９′の取付け替えを迅速且つ容易ならしめるために、底板２には、循環ポンプ９（マグネットポンプ）の取付板を取付けるための取付穴（図示せず）を穿設するだけでなく、循環ポンプ９′（キャンドポンプ）の取付板を取付けるための取付穴（図示せず）をも穿設している。
【０００９】
上述の構成において、運転が開始され、バーナ１３における燃料の燃焼で缶体７内の液が例えば約５０〜７０℃に加温され、吸込管１０，循環ポンプ９，吐出管１１を通って床暖房パネル等の外部放熱器（図示せず）に送られ、放熱により冷えた循環液が缶体７に戻されて加温され、こうして外部放熱器との間の循環が繰り返し行われる点では、従来と何ら変わらない。しかし、図１の循環ポンプ９運転中の騒音を軽減させたい顧客からの要請でキャンドポンプ（図２の循環ポンプ９′）へ取替える場合には、前パネル４Ａと横パネル４Ｂを取外し、リザーブタンク１２を取り除いて、開口部８Ａと窓穴８Ｂを利用して支持台８の下部空間に位置する循環ポンプ９に手を伸ばして取外し作業を行い、取外した循環ポンプ９は前パネル４Ａ側から取り出し、これに替わる図２の循環ポンプ９′であるキャンドポンプを挿入し装着する。このようにポンプ取替え作業は支障無く遂行することができる。
【００１０】
循環ポンプ９′をキャンドポンプとした図２の例で、ポンプハウジングの後面側をリザーブタンク１２に向いているのは、前述したとおり、キャンドポンプハウジングの後端面にはロック解除用のプラグ１７を設けているから、前パネル４Ａ及びリザーブタンク１２を取り除くことによって、前記プラグ１７に手が届きプラグ１７の操作を可能とするからである。また、キャンドポンプハウジングの側面に設けられている流量調節用摘み１８を横パネル４Ｂに向けているのも同じことで、横パネル４Ｂを取り除くことによって流量調節用摘み１８に容易に手が届くことになる。
【００１１】
【発明の効果】
以上の説明から明らかなように、請求項１の発明によれば、ポンプの騒音を軽減させるため好適なポンプに交換するときに、ポンプ設置場所に容易に手が届くようにさせることができ、交換作業を円滑迅速に実施するうえで手間取らせない点で優れている。
【００１２】
また、請求項２の発明によれば、キャンドポンプハウジングの後端面に設けられているロック解除用プラグの操作は、前パネル，リザーブタンクを取り除くことで手を伸ばせば行うことができるようになるし、キャンドポンプの側面にある流量調節用摘みの操作は、横パネルを取り除けば摘みを握れるようになる。
【図面の簡単な説明】
【図１】循環ポンプがマグネットポンプであるときの本発明の一実施例を横パネルを取り外して示した側面図である。
【図２】循環ポンプがキャンドポンプであるときの本発明の一実施例を横パネルを取り外し且つ支持台の一部を切欠して示した側面図である。
【図３】石油ボイラーの外装体の形状を示す斜視図である。
【符号の説明】
１      縦長箱状をなす外装体
２      外装体の底板
４      外装体の周側板
４Ａ    前パネル
４Ｂ    横パネル
７      缶体
８      支持台
８Ａ    開口部
８Ｂ    窓穴
９，９′循環ポンプ
１２    リザーブタンク
１７    ロック解除用プラグ
１８    流量調節用摘み
【図１】
0003691210.tif 000002
【図２】
0003691210.tif 000003
【図３】
0003691210.tif 000004